(57)【要約】【課題】外装材と断熱材と内装材との３つの機能を有する建材を一度に施工できるとともに、裏面材の目地部分の断熱欠損をなくして結露の発生を防止でき、洗浄水などの浸入も防止できる農畜産用の建築物の屋根材や内外装材として好適な両面金属断熱パネルを提供すること。【解決手段】合成樹脂発泡体の断熱材１２の表面に金属板の表面材１１を設けるとともに、断熱材１２の裏面に金属板の裏面材１３を設けた両面金属断熱パネル１０で、表面材１１の両端縁部に互いに嵌合連結される嵌合連結部１４，１５を設ける一方、裏面材１３の少なくとも一端縁部に、嵌合連結部１４，１５で嵌合連結された両面金属断熱パネル１０，１０同士の目地部分を覆う延長部１６を形成する。これにより、表面材１１，１１同士は嵌合連結部１４，１５で連結することで隙間を生じることなく簡単に施工して連結でき、裏面材１３の一端縁部に形成した延長部１６で裏面材１３の目地部分を覆うことができ、断熱欠損をなくして結露の発生を防止でき、洗浄水などの浸入も防止できるようにしている。【選択図】      図１
2004150259.tif 000002
【特許請求の範囲】
【請求項１】
合成樹脂発泡体の断熱材の表面に金属板の表面材を設けるとともに、前記断熱材の裏面に金属板の裏面材を設けた両面金属断熱パネルであって、前記表面材の両端縁部に互いに嵌合連結される嵌合連結部を設ける一方、前記裏面材の少なくとも一端縁部に、前記嵌合連結部で嵌合連結された前記両面金属断熱パネル同士の目地部分を覆う延長部を形成してなることを特徴とする両面金属断熱パネル。
【請求項２】
前記裏面材の前記延長部の先端縁部に、前記断熱材側に折り曲げた折曲部を形成してなることを特徴とする請求項１記載の両面金属断熱パネル。
【発明の詳細な説明】
【０００１】
【発明の属する技術分野】
この発明は、両面金属断熱パネルに関し、農畜産用の建築物の屋根材や内外装材として用いることで、外装材と断熱材と内装材との３つの機能を有する建材を１度に施工できるとともに、裏面材の目地部分を覆って断熱欠損を防止するとともに、水などの浸入を防止できるようにしたものである。
【０００２】
【従来の技術】
一般住宅などの建築物の内装用、外装用や屋根用にサイディング材と称される金属断熱パネル（例えば特許文献１など参照）が用いられており、金属薄板などの内壁面、外壁面や屋根面となる表面材の幅方向両端縁を曲げ加工して略樋状に形成するとともに、両端部に互いに嵌合連結される嵌合連結部を形成する一方、この表面材の略樋状の部分にポリウレタン等の合成樹脂発泡体などを断熱材として充填し、この断熱材を覆うように紙やアルミ箔などの裏面材を取付けて構成してある。
【０００３】
このような金属断熱パネルを上下方向に連結する横張りとして表面材を内壁側として内壁面と断熱材を同時に施工したり、表面材を外壁側として外壁面と断熱材を同時に施工したり、横方向に連結する縦張りとして内壁面と断熱材とを同時に施工したり、外壁面と断熱材とを同時に施工したり、屋根面と断熱材とを同時に施工するようにしている。
【０００４】
一方、鶏舎、豚舎、牛舎等の畜舎や茸ハウスといった農畜産用の建築物では、金属断熱パネルの表面材を金属薄板とするだけでなく、裏面材も金属薄板とすることで内外両壁面と断熱材とを同時に施工できるようにしたものがあり、特に外壁面と同時に金属薄板の内壁面を施工することで、定期的に行われる水や薬剤などによる室内の洗浄に対しても耐えられるようにした両面金属断熱パネルが提案されている。
【０００５】
例えば特許文献２の畜舎用パネル建材では、図６に示すように、断熱材１の片面の表面材２として丸波または角波などの波形に成形したガルバリウム鋼板を用い、断熱材１の他の片面の裏面材３として平坦なアルミニウム・亜鉛合金めっき鋼板を用い、これらを積層して一体化して構成してあり、施工に際しては、同図（ｂ）に示すように、この畜舎用パネル建材４，４同士を突き合わせるように配置すること等で軸組などに取り付けられる。
【０００６】
また、特許文献３の断熱金属パネルでは、図７に示すように、断熱材１の片面の表面材２として金属薄板を用い、断熱材１の他の片面の裏面材３としてクラフト紙を用いた屋根材５が例示されており、屋根材５として施工する場合の容易化や雨漏り防止などを図るため嵌合連結部として嵌合受部６および嵌合覆部７を設けるようにしたものが開示され、裏面材３として金属薄板を用いても良いことが開示されている。
【０００７】
【特許文献１】
特開昭６１−６０９６０号公報
【特許文献２】
特開平４−３７５３３号公報
【特許文献３】
実開平４−１０１４２４号公報
【０００８】
【発明が解決しようとする課題】
ところが、このような両面が金属の断熱パネルを用いて内外壁面や屋根面を構築する場合に、断熱パネル４，４同士を単に突き合わせただけでは、図６（ｂ）に示すように、外部から固定用の釘などが見えてデザイン性を損ねたり、表面材２による外壁面の目地部分や裏面材３による内壁面の目地部分に隙間δが生じ易く、外壁側では雨などが浸入したり、内壁側では洗浄に用いる水や薬剤が浸入するという問題がある。
【０００９】
また、嵌合連結部６，７を表面材２に設けて断熱金属パネル５，５同士を連結して施工する場合には、図７（ｂ）に示すように、表面材２の目地部分からの雨などの浸入を防止できるものの、裏面材３の目地部分に隙間δが生じ易く、洗浄に用いる水や薬剤が浸入するという問題がある。
【００１０】
さらに、裏面材３で断熱材１の両端面を覆うようにした断熱金属パネル５では、クラフト紙等を用いる場合には、大きな問題とならないが、金属薄板を用いて断熱材１の両端面を覆うようにすると、表面材２と裏面材３とが接触する場合も多く、これによって目地部分の隙間δで断熱性が失われる断熱欠損が生じ易く、目地部分の隙間δに結露が生じたり、結露による水滴が目地部分の隙間δから室内側に垂れ落ちるという問題もある。
【００１１】
この発明は、かかる従来技術の問題点に鑑みてなされたもので、外装材と断熱材と内装材との３つの機能を有する建材を一度に施工できるとともに、裏面材の目地部分の断熱欠損をなくして結露の発生を防止でき、洗浄水などの浸入も防止できる農畜産用の建築物の屋根材や内外装材として好適な両面金属断熱パネルを提供しようとするものである。
【００１２】
【課題を解決するための手段】
上記従来技術が有する課題を解決するこの発明の請求項１記載の両面金属断熱パネルは、合成樹脂発泡体の断熱材の表面に金属板の表面材を設けるとともに、前記断熱材の裏面に金属板の裏面材を設けた両面金属断熱パネルであって、前記表面材の両端縁部に互いに嵌合連結される嵌合連結部を設ける一方、前記裏面材の少なくとも一端縁部に、前記嵌合連結部で嵌合連結された前記両面金属断熱パネル同士の目地部分を覆う延長部を形成してなることを特徴とするものである。
【００１３】
この両面金属断熱パネルによれば、合成樹脂発泡体の断熱材の表面に金属板の表面材を設けるとともに、前記断熱材の裏面に金属板の裏面材を設けた両面金属断熱パネルで、前記表面材の両端縁部に互いに嵌合連結される嵌合連結部を設ける一方、前記裏面材の少なくとも一端縁部に、前記嵌合連結部で嵌合連結された前記両面金属断熱パネル同士の目地部分を覆う延長部を形成するようにしており、表面材同士は嵌合連結部で連結することで隙間を生じることなく簡単に施工して連結でき、裏面材の一端縁部に形成した延長部で裏面材の目地部分を覆うことができ、これによって断熱欠損をなくして結露の発生を防止でき、洗浄水などの浸入も防止できるようにしている。
【００１４】
また、この発明の請求項２記載の両面金属断熱パネルは、請求項１記載の構成に加え、前記裏面材の前記延長部の先端縁部に、前記断熱材側に折り曲げた折曲部を形成してなることを特徴とするものである。
【００１５】
この両面金属断熱パネルによれば、前記裏面材の前記延長部の先端縁部に、前記断熱材側に折り曲げた折曲部を形成するようにしており、断熱材に折り曲げた折曲部によって突き出す分だけ隣接するパネルの裏面材への圧着力が増大し、一層隙間の発生を防止して断熱欠損をなくして結露の発生を防止でき、洗浄水などの浸入も防止できるようになる。
【００１６】
【発明の実施の形態】
以下、この発明の実施の形態を図面を参照しながら詳細に説明する。
図１および図２はこの発明の両面金属断熱パネルの一実施の形態にかかり、図１（ａ）は横断面図、図１（ｂ）は嵌合連結部の拡大断面図、図２は嵌合連結工程の説明図である。
【００１７】
この両面金属断熱パネル１０は、例えば畜舎の縦葺き屋根材用として用いられるものであり、金属薄板の表面材１１と、中間部のポリウレタン等の合成樹脂発泡体などを充填発泡させた断熱材１２と、金属薄板の裏面材１３とを一体に積層し、表面材１１の両端縁部には、互いに嵌合連結することができる嵌合連結部１４，１５が形成されるとともに、裏面材１３の少なくとも一端縁部には、隣接する両面金属断熱パネル１０，１０同士を嵌合連結部１４，１５で連結したときの裏面側の目地部分を覆う延長部１６が形成されたものである。
【００１８】
この両面金属断熱パネル１０では、金属薄板の表面材１１が、例えば波形に成形されており、この表面材１１の一端縁部に嵌合連結部１４としての嵌合受部が形成され、他端縁部に嵌合連結部１５としての嵌合覆部が形成され、嵌合受部１４を嵌合覆部１５で覆うようにして互いを連結できるようにしてある。
【００１９】
そして、表面材１１の一端縁部に形成される嵌合連結部１４としての嵌合受部は、中央部に幅広の釘打溝１４ａを備え、両側にそれぞれ折り曲げ加工された内側土手１４ｂと外側土手１４ｃとが形成されて構成され、この嵌合受部１４を覆う表面材１１の他端縁部に形成される嵌合連結部１５としての嵌合覆部は、外側土手１４ｃの外側面および上面、内側土手１４ｂの上面および内側面を囲むように形成された蓋部１５ａを備え、この蓋部１５ａの先端部に内側土手１４ｂの下側面に係止するフック部１５ｂが形成してある。
【００２０】
また、裏面材１３の一端縁部に形成される延長部１６は、表面材１１の嵌合受部１４が形成される端部に形成されており、裏面材１３をそのまま延長して構成され、嵌合受部１４の外側土手１４ｃの外側とほぼ同一位置まで伸ばされ、先端部を断熱材１２側に折り曲げた折曲部１７が形成してある。
【００２１】
これにより、両面金属断熱パネル１０，１０同士を嵌合連結部１４，１５で嵌合連結したときに、裏面材１３の折曲部１７の内側に盛り上がった分だけ隣接する両面金属断熱パネル１０の裏面材１３への圧着力を増大して密着できるようにしてある。
【００２２】
さらに、裏面材１３の他端縁部は、直角に折り起こして断熱材１２の端部を覆うように折起部１８が形成してあり、折起部１８の上端と表面材１１とが接触して熱伝導が起こらないように隙間が、例えば３ｍｍ程度形成されるようにしてある。
【００２３】
また、裏面材１３と折起部１８との角部は斜めの傾斜面１９で連続するようにしてあり、図２に示すように、両面金属断熱パネル１０，１０同士を嵌合連結部１４，１５で嵌合連結するときに、裏面材１３の傾斜面１９によって斜め上方から滑らすように挿入して円滑に嵌合連結できるようにしてある。
【００２４】
さらに、両面金属断熱パネル１０の他の一実施の形態を示す図３のように、断熱材１２の少なくとも一端面に端面材３１を当てるようにしてあり、この端面材３１によって断熱材１２の発泡充填の際に立ち上がってくる断熱材をせき止めてふくらみ等を抑えるとともに、製造装置側の発泡抑制盤３２と断熱材１２との付着を防止する。
【００２５】
ここでは、裏面材１３の延長部１６が設けられる一端縁部側に端面材３１としての発泡抑制紙が当てられており、表面材１１と断熱材１２の端面とに連続して当てられるＬ字状に配置してあり、表面材１１と裏面材１３に当てるように単に配置したり、接着剤やテープでこれらと固定するようにしても良い。
【００２６】
この端面材３１としては、例えば紙やアルミ箔ラミネート紙などが用いられ、紙を用いる場合には、表面材１１と裏面材１３との間に接着剤やテープなどで固定しても熱伝導を防止することができ、このアルミ箔によって防水性を高めることができるとともに、形状保持効果を増大することができる。
【００２７】
このような両面金属断熱パネル１０の製造は、多数の成形ローラで構成された表面材成形機で金属薄板の表面材１１の中央部に波形の成形を施すとともに、幅方向両端縁部に嵌合連結部１４，１５を曲げ加工して成形する一方、この表面材１１を表裏反転させて略樋状の部分にポリウレタン等の合成樹脂発泡体などの断熱材１２を吐出ノズルで充填し、この断熱材１２を覆うように多数の成形ローラで構成された裏面材成形機で一端縁部に延長部１６および折曲部１７を、他端縁部に折起部１８および傾斜面１９がそれぞれ曲げ加工された金属薄板の裏面材１３を取付けてダブルコンベアで表裏面と両側面を押さえて連続製造され、所定の長さ毎に切断装置で切断することで行われる。
【００２８】
また、断熱材１２の少なくとも一端面を端面材３１で覆うようにした両面金属断熱パネル１０の製造は、多数の成形ローラで構成された表面材成形機で金属薄板の表面材１１の中央部に波形の成形を施すとともに、幅方向両端縁部に嵌合連結部１４，１５を曲げ加工して成形する一方、この表面材１１を表裏反転させて略樋状の部分にポリウレタン等の合成樹脂発泡体などの断熱材１２を吐出ノズルで充填するとともに、端面材３１である発泡抑制紙を表面材１１の内側にＬ字状に連続的に供給し、この断熱材１２を覆うように多数の成形ローラで構成された裏面材成形機で一端縁部に延長部１６および折曲部１７を、他端縁部に折起部１８および傾斜面１９がそれぞれ曲げ加工された金属薄板の裏面材１３を取付けてダブルコンベアで表裏面と一側面を押さえるとともに、他側面を端面材３１を介して発泡抑制盤２で押さえて連続製造され、所定の長さ毎に切断装置で切断することで行われる。
【００２９】
ここで、例えば図３（ａ）のように、端面材３１を用いることで、図３（ｂ）のように、ポリウレタン等の合成樹脂発泡体を充填した場合でも、外側土手１４ｃや内側土手１４ｂ部分に充填されにくいため、これら外側土手１４ｃや内側土手１４ｂ等の面材形状を保持することができ、雄状連結部と雌状連結部とを、より確実に嵌合連結することができる。
【００３０】
この両面金属断熱パネル１０の表面材１１としては、例えば表面処理鋼板、亜鉛・ニッケル合金をめっきした鋼板、アルミ・亜鉛合金をめっきした鋼板、ステンレスで鋼板をクラッドしたクラッド鋼板、アルミニウム板、アルミニウム合金板、鋼板でゴム，合成樹脂フィルムをクラッドした制振板等をあげることができ、これらの平板に限らず、エンボス加工、リシン塗装、ほうろう加工などを施したものであっても良い。
【００３１】
また、断熱材１２としては、通常、合成樹脂発泡体が用いられ、特にポリウレタンフォーム、ポリイソシアヌレートフォーム、フェノールフォーム、ポリエチレンフォーム、ポリスチレンフォーム等が用いられるほか、グラスウール、シージングインシュレーションボード、発泡石膏、石膏、ロックウール、セメント、炭酸カルシウム、ケイ酸カルシウム、ＡＬＣなどが用いることもできる。
【００３２】
さらに、裏面材１３としては、表面材１１と同一の金属薄板が用いられるほか、アルミニウムや鉄、あるいは銅などの金属箔などを用いることができる。
【００３３】
また、端面材３１としては、ライナー紙、クラフト紙、板紙、炭酸カルシウム紙などの紙、あるいはこれらの紙にアルミニウムや鉄、ステンレス鋼などの金属箔をラミネートしたものやこれらの金属などを蒸着したものなどを用いることができる。
【００３４】
このように構成した両面金属断熱パネル１０では、図２に示すように、まず最初の両面金属断熱パネル１０を所定の位置に配置した後、嵌合受部１４の釘打溝１４ａにゴムパッキンおよびワッシャが介在された釘を打ち込んで固定し、次いで隣接する両面金属断熱パネル１０の嵌合覆部１５で釘で固定された嵌合受部１４を覆うようにするとともに、両面金属断熱パネル１０を斜めに傾けて傾斜面１９がほぼ水平となるようにして嵌合受部１４の外側土手１４ｃの下側と裏面材１３の延長部１６の間に挿入し、延長部１６上を滑らすようにして嵌合連結し、嵌合覆部１５の蓋部１５ａで嵌合受部１４を覆ってフック部１５ｂを内側土手１４ｂに係止する。
【００３５】
そして、隣接する両面金属断熱パネル１０，１０同士が嵌合連結された後、嵌合受部１４を釘で固定する。
【００３６】
このような釘での固定および嵌合連結を繰り返して屋根材としての両面金属断熱パネル１０の施工が行われる。
【００３７】
こうして構築された両面金属断熱パネル１０による屋根や内外壁面によれば、外壁面と断熱材と内壁面との３つの機能を持つ建材の施工が同時にでき、しかも図１（ｂ）に示すように、両面金属断熱パネル１０，１０同士の目地部分では、表面材１１，１１同士は嵌合受部１４に嵌合覆部１５を被せるようにすることで完全に塞ぐことができるとともに、裏面材１３，１３同士も一端縁部の延長部１６によって目地部分が塞がれる。
【００３８】
これにより、畜舎等で定期的に行われる薬剤の散布や水などによる洗浄の際にこれらが目地部分に浸入することを防止することができるとともに、例え目地部分に結露が生じたとしても水滴が室内側に落ちることもない。
【００３９】
また、この両面金属断熱パネル１０によれば、表面材１１と裏面材１３とを金属材としても表面材１１と裏面材１３とが直接接触することがないようにしてあるので、これらの間に熱伝導が生じて外気と内気の温度差による結露発生を防止できる。
【００４０】
さらに、裏面材１３の延長部１６の先端部を断熱材１２側に折り曲げて折曲部１７を形成して内側に膨らむようにしたので、隣接する両面金属断熱パネル１０の裏面材１３との圧着力を増大でき、一層確実に水などの浸入を防止することができる。
【００４１】
また、裏面材１３の折起部１８の角を切欠いて傾斜面１９としたので、隣接する両面金属断熱パネル１０を挿入する場合に干渉せず円滑に嵌合連結することができる。
【００４２】
さらに、裏面材１３を金属材とすることで、断熱パネル１０自体の耐久性を向上できるとともに、ねずみ等による被害を防止することができる。
【００４３】
さらに、強度向上により、施工の際の釘打ちのピッチを広くすることができ、施工自体も容易になる。
【００４４】
また、断熱材１２の少なくとも一端面に端面材３１を当てるようにしたので、断熱材１２の発泡充填時のふくらみを抑えて所定の形状に形成できるとともに、製造設備側の発泡抑制盤３２への断熱材１２の付着を防止することができ、円滑に製造することができる。
【００４５】
さらに、断熱材１２の端面に端面材３１を当てるように設けることで、この部分にたとえ結露が生じたとしても断熱材１２に吸収されることを抑制することもでき、特に金属箔などをラミネートしたものを用いることで一層水分の吸収を抑制することができる。
【００４６】
次に、この発明の両面金属断熱パネルの他の一実施の形態について、図４により説明するが、既に説明した上記実施の形態と同一部分には、同一記号を記し説明は省略する。
【００４７】
この両面金属断熱パネル２０は、例えば縦張りや横張りとして内外壁面の構築に用いたり、屋根面の構築に用いられる、いわゆるサイディング材であり、既に説明した上記実施の形態のパネルとは、互いの嵌合連結に用いる嵌合連結部２１，２２の形状が異なっている。
【００４８】
この両面金属断熱パネル２０では、嵌合連結部２１，２２により施工性の改善や連結状態での保持力増大を図るようにしてあり、パネル２０の一端縁部に形成される雄状連結部２１と他端部に形成される雌状連結部２２のいずれもが表面材１１を連続して折り曲げ加工して表面材１１と一体に形成してある。
【００４９】
パネル２０の一端縁部に形成される雄状連結部２１は、図４に右端部として示すように、表面材１１を折り曲げて上部端面部２１ａが厚さ方向中間部まで形成され、この上部端面部２１ａから表面材１１と平行に前方に突き出して折り重ねられた突出片２１ｂが形成され、この突出片２１ｂの基端部を折り曲げて下部端面部２１ｃが形成され、この下部端面部２１ｃの先端の厚さ方向下端に表面材１１と平行に前方に長く突き出した釘打用片２１ｄが形成してある。
【００５０】
そして、このパネル２０では、上部端面部２１ａが前傾斜の傾斜面で構成されるとともに、突出片２１ｂと釘打用片２１ｄの基端部の下部端面部２１ｃが上部端面部２１ａと一平面をなす前傾斜の傾斜面としてある。
【００５１】
これら上部端面部２１ａ及び下部端面部２１ｃの形状は、前傾斜面とする場合に限らず他の形状であっても良いが、上部端面部２１ａによって目地部分の形状が定まり、横張りの場合の下面となることから下方に傾斜した前傾斜面とすれば雨水などが溜まったり、汚れの付着を防止できる。
【００５２】
一方、下部端面部２１ｃの形状を前傾斜面とすることで、雌状連結部２２の先端部を倣わせて嵌合をガイドするのに利用することができる。
【００５３】
また、釘打ち用片２１ｄの先端が円弧状に折り曲げられて折曲部２１ｅが形成してあり、パネル２０の運搬や施工の際に安全に取り扱えるようにしてある。
【００５４】
両面金属断熱パネル２０の他端部に形成される雌状連結部２２は、図４の左端部として示すように、表面材１１を折り曲げて上部端面部２２ａが厚さ方向上部まで形成され、この上部端面部２２ａから表面材１１と平行に内側（後方）に引っ込むように折りまげて上部挾持部２２ｂが形成され、この上部挾持部２２ｂの内側端部を略円形状に折り曲げて形成したガイド凹部２２ｃの開口上端部と連続するようにし、このガイド凹部２２ｃの開口下端部に連続して下方に傾斜開口部を拡げるように下部挾持部２２ｄが形成され、上部端面部２２ａより外側に突き出す長さとしてある。
【００５５】
また、この雌状連結部２２でもパネル２０の運搬や施工の際に安全に取り扱えるように下部挾持部２２ｄの先端が円弧状に折り曲げてあるが、この雌状連結部２２では、この円弧状の折曲部をガイド部２２ｅとして機能させ、雄状連結部２１との嵌合連結の際に釘打用片２１ｄの内側面と下部端面部２１ｃの外側面に倣わせて連結施工を容易にできるようにしてある。
【００５６】
このような雌状連結部２２では、水平の上部挾持部２２ｂと下方に傾斜した下部挾持部２２ｄとがＣ字状のガイド凹部２２ｃで連結された形状となっており、上部挾持部２２ｂと下部挾持部２２ｄとの間隔が開口部の先端が広く、次第に狭くなって下部挾持部２２ｄとガイド凹部２２ｃとの連結部で最も狭くなり、ガイド凹部２２ｃ内で再び拡がった状態になる。
【００５７】
そして、この雌状連結部２２の上部挾持部２２ｂと下部挾持部２２ｄとの最も間隔が狭くなっている部分で雄状連結部２１の突出片２１ｂを挾んで連結することから、この間隔が雄状連結部２１の突出片２１ｂの折り重ねた厚さより狭くしてあり、ガイド凹部２２ｃの略円形状の部分によるばね効果（Ｃ字状の形状効果）で強固に挾み付けることができるようにしてある。
【００５８】
このような雄状連結部２１と雌状連結部２２とが表面材１１に形成された両面金属断熱パネル２０では、断熱材１２を介して裏面材１３が設けられて一体にしてある。
【００５９】
このパネル２０では、断熱材１２に雄状連結部２１を挿入するための段差状の切欠部１２ａが雌状連結部２２側に形成してある。
【００６０】
さらに、両面金属断熱パネル２０の他の一実施の形態を示す図５のように、断熱材１２の少なくとも一端面である切欠部１２ａに端面材３１を当てるようにしてあり、この端面材３１によって断熱材１２の発泡充填の際に立ち上がってくる断熱材をせき止めてふくらみ等を抑えて段差状の形状（切欠部１２ａ）を形成するとともに、製造装置側の発泡抑制盤３２と断熱材１２との付着を防止する。
【００６１】
ここでは、裏面材１３の延長部１６が設けられる一端縁部側に端面材３１としての発泡抑制紙が当てられており、表面材１１と断熱材１２の切欠部１２ａの端面とに連続して当てられる形状に配置してあり、端面材３１と、表面材１１や裏面材１３との間に接着剤やテープを用いて固定するようにしても良い。
【００６２】
この端面材３１としては、例えば紙やアルミ箔ラミネート紙などが用いられ、紙を用いる場合には、表面材１１と裏面材１３との間に接着剤やテープなどで固定しても熱伝導を防止することができ、このアルミ箔によって防水性を高めることができるとともに、形状保持性を増大することができる。
【００６３】
また、裏面材１３の目地部分を覆う延長部１６は、雌状連結部２２側に形成してあり、断熱材１２の切欠部１２ａから突き出すように配置され、先端縁部には、折曲部１７が断熱材１２側に折り曲げて膨らむように形成してある。
【００６４】
そして、この両面金属断熱パネル２０では、嵌合連結状態を示す図４（ｂ）から明らかなように、雄状連結部２１の釘打用片２１ｄに釘を打って固定することから、釘で固定した状態の裏面材１３の内側に隣接するパネル２０の裏面材１３の延長部１６を挿入できるように釘打用片２１ｄなどの寸法が調整してある。
【００６５】
なお、このような両面金属断熱パネル２０の製造は、既に説明した両面金属断熱パネル１０の場合と表面材１１や裏面材１３の曲げ加工による形状は異なるものの同一工程で行われる。
【００６６】
次に、このように構成した両面金属断熱パネル２０を用いて、例えば横張りの外壁面などを構築する場合には、最下段のパネル２０を図示しないスタート金物などを用いて雌状連結部２２を下にして嵌合した後、上部の雄状連結部２１の釘打用片２１ｄを釘で壁面の下地材に固定する。
【００６７】
この後、次の段のパネル２０の雌状連結部３３を下にして下部挾持部２２ｄの先端が雄状連結部２１の突出片２１ｂと釘打用片２１ｄの間に入るようにするとともに、裏面材１３の延長部１６が裏面材１３の外側に入るように手前に傾けて挿入する。
【００６８】
そして、パネル２０を傾けたまま下部挾持部２２ｄの先端のガイド部２２ｅが釘打用片２１ｄの内側面に接触するまで押し込む。この状態では、傾いた上下挾持部２２ａ，２２ｄの最も狭い部分に突出片２１ｂの先端部が押し拡げるように位置する。
【００６９】
さらに、パネル２０を押し込みながら立てるようにすると、下部挾持部２２ｄの先端のガイド部２２ｅが釘打用片２１ｄの内側面に接触しながら倣って行き、雄状連結部２１の下部端面部２１ｃの外側面と接触するようになる。
【００７０】
そして、さらにパネル２０を押し込みながら立てるようにすると、下部挾持部２２ｄの先端のガイド部２２ｅが雄状連結部２１の下部端面部２１ｃの傾斜した外側面と接触しながら倣って行き、パネル２０が垂直状態になると完全に連結された状態になる（図４（ｂ）参照）。
【００７１】
こうして固定状態の雄状連結部２１に次の段のパネル２０の雌状連結部２２を嵌合連結した後、パネル２０の横方向の位置を合わせた後、上部の雄状連結部２１の釘打ち用片２１ｄを釘で壁面の下地材に固定することを繰り返して壁面が構築される。
【００７２】
こうして構築された両面金属断熱パネル２０による屋根や内外壁面によれば、外壁面と断熱材と内壁面との３つの機能を持つ建材の施工が同時にでき、しかも図４（ｂ）に示すように、両面金属断熱パネル２０，２０同士の目地部分では、表面材１１，１１同士は雌雄状連結部２１，２２で完全に塞ぐことができるとともに、裏面材１３，１３同士も一端縁部の延長部１６によって目地部分が塞がれる。
【００７３】
これにより、畜舎等で定期的に行われる薬剤の散布や水などによる洗浄の際にこれらが目地部分に浸入することを防止することができるとともに、例え目地部分に結露が生じたとしても水滴が室内側に落ちることもない。
【００７４】
また、この両面金属断熱パネル２０によれば、表面材１１と裏面材１３とを金属材としても表面材１１と裏面材１３とが直接接触することがないようにしてあるので、これらの間に熱伝導が生じて外気と内気の温度差による結露発生を防止できる。
【００７５】
さらに、裏面材１３の延長部１６の先端部を断熱材１２側に折り曲げて折曲部１７を形成して内側に膨らむようにしたので、隣接する両面金属断熱パネル２０の裏面材１３との圧着力を増大でき、一層確実に水などの浸入を防止することができる。
【００７６】
また、裏面材１３を金属材とすることで、断熱パネル２０自体の耐久性を向上できるとともに、ねずみ等による被害を防止することができる。
【００７７】
さらに、強度向上により、施工の際の釘打ちのピッチを広くすることができ、施工自体も容易になる。
【００７８】
また、このパネル２０では、次の段のパネル２０を嵌合連結する場合に、手前に傾けて下部挾持部２２ｄを入れ、さらに押し込みながら立てるようにするだけで簡単に連結することができ、従来の真っ直ぐに下ろして連結する場合に比べ、簡単に嵌合連結することができる。
【００７９】
さらに、断熱材１２の少なくとも一端面である切欠部１２ａに端面材３１を当てるようにしたので、断熱材１２の発泡充填時のふくらみを抑えて所定の段差状の形状に形成できるとともに、製造設備側の発泡抑制盤３２への断熱材１２の付着を防止することができ、円滑に製造することができる。
【００８０】
ここで、例えば図５（ａ）のように、端面材３１を用いることで、図５（ｂ）のように、ポリウレタン等の合成樹脂発泡体を充填した場合でも、Ｃ字状のガイド凹部２２ｃに接触したり、上部挟持部２２ｂに充填されにくいため、これらＣ字状のガイド凹部２２ｃや上部挟持部２２ｂ等の面材形状を保持することができ、より確実に雄状連結部と雌状連結部を嵌合連結することができる。
【００８１】
また、断熱材１２の端面に端面材３１を当てるように設けることで、この部分に例え結露が生じたとしても断熱材１２に吸収されることを抑制することもでき、特に金属箔などをラミネートした紙などを用いることで一層水分の吸収を抑制することができる。
【００８２】
【発明の効果】
以上、実施の形態とともに具体的に説明したようにこの発明の請求項１記載の両面金属断熱パネルによれば、合成樹脂発泡体の断熱材の表面に金属板の表面材を設けるとともに、前記断熱材の裏面に金属板の裏面材を設けた両面金属断熱パネルで、前記表面材の両端縁部に互いに嵌合連結される嵌合連結部を設ける一方、前記裏面材の少なくとも一端縁部に、前記嵌合連結部で嵌合連結された前記両面金属断熱パネル同士の目地部分を覆う延長部を形成するようにしたので、表面材同士は嵌合連結部で連結することで隙間を生じることなく簡単に施工して連結でき、裏面材の一端縁部に形成した延長部で裏面材の目地部分を覆うことができ、これによって断熱欠損をなくして結露の発生を防止でき、洗浄水などの浸入も防止することができる。
【００８３】
また、この発明の請求項２記載の両面金属断熱パネルによれば、前記裏面材の前記延長部の先端縁部に、前記断熱材側に折り曲げた折曲部を形成するようにしたので、断熱材に折り曲げた折曲部によって突き出す分だけ隣接するパネルの裏面材への圧着力が増大し、一層隙間の発生を防止して断熱欠損をなくして結露の発生を防止でき、洗浄水などの浸入も防止することができる。
【図面の簡単な説明】
【図１】この発明の両面金属断熱パネルの一実施の形態にかかり、（ａ）は横断面図、（ｂ）は嵌合連結部の拡大断面図である。
【図２】この発明の両面金属断熱パネルの一実施の形態にかかる嵌合連結工程の説明図である。
【図３】この発明の両面金属断熱パネルの他の一実施の形態にかかり、（ａ）は断熱材充填前の部分拡大断面図、（ｂ）は断熱材充填後の部分拡大断面図である。
【図４】この発明の両面金属断熱パネルのさらに他の一実施の形態にかかり、（ａ）は横断面図、（ｂ）は嵌合連結部の拡大断面図である。
【図５】この発明の両面金属断熱パネルの他の一実施の形態にかかり、（ａ）は断熱材充填前の部分拡大断面図、（ｂ）は断熱材充填後の部分拡大断面図である。
【図６】従来の畜舎用パネル建材の斜視図および連結状態の拡大断面図である。
【図７】従来の断熱金属パネルの横断面図および連結部の拡大断面図である。
【符号の説明】
１０  両面金属断熱パネル
１１  表面材
１２  断熱材
１３  裏面材
１４  嵌合受部（嵌合連結部）
１５  嵌合覆部（嵌合連結部）
１６  延長部
１７  折曲部
１８  折起部
１９  傾斜面
２０  両面金属断熱パネル
２１  雄状連結部（嵌合連結部）
２２  雌状連結部（嵌合連結部）
３１  端面材
３２  発泡抑制盤
【図１】
2004150259.tif 000003
【図２】
2004150259.tif 000004
【図３】
2004150259.tif 000005
【図４】
2004150259.tif 000006
【図５】
2004150259.tif 000007
【図６】
2004150259.tif 000008
【図７】
2004150259.tif 000009